(57)【要約】【課題】横架材とはり材との間に形成される隙間をなくすことが可能で、余計な部材を用いることなしにつかみ金具の倒れ込み変形を抑制できる床付き布わくを提案する。【解決手段】はり材を、上側フランジと、下側フランジと、該上側フランジ、該下側フランジをそれらの先端部において連結するとともに、幅方向の端面を前記つかみ金具の内側壁部に近接若しくは当接させて該つかみ金具の内側への倒れ込み変形を抑制するウエブとで構成し、上側フランジおよび該ウエブの幅方向の少なくとも一方の端部に、つかみ金具の内側壁部との相互間にて隣接配置される他の床付き布わくのつかみ金具の挿入隙間を形成する逃げ部を設けるとともに、逃げ部を有するウエブは、つかみ金具の内側壁部に近接若しくは当接させる端面を有するものとする。【選択図】図６
2020200749.tif 000002
【特許請求の範囲】
【請求項１】
一対の短辺および一対の長辺にて取り囲まれた区画領域を、床面、作業面とする床板材と、該床板材の長辺にその全長にわたってそれぞれ一体連結する一対の布板材と、該床板材の短辺にて該床板材および該布板材につながるはり材と、該床板材の四隅において該布板材に取り付けられ、横架材に引っ掛けて該床板材を、布板材、はり材とともに水平姿勢に保持するつかみ金具とを備えた床付き布わくであって、
前記はり材は、前記床板材の上面に固定され、先端部を該床板材の外方へ向けて延出させた上側フランジと、該布板材に固定された下側フランジと、該上側フランジ、該下側フランジをそれらの先端部において連結するとともに、幅方向の端面を前記つかみ金具の内側壁部に近接若しくは当接させて該つかみ金具の内側への倒れ込み変形を抑制するウエブからなり、
該上側フランジおよび該ウエブは、幅方向の少なくとも一方の端部に、該上側フランジおよび該ウエブの一部分を取り除いて該つかみ金具の内側壁部との相互間にて隣接配置される他の床付き布わくのつかみ金具の挿入隙間を形成する逃げ部を有し、
該逃げ部を有するウエブは、前記つかみ金具の内側壁部に近接若しくは当接させる端面を有することを特徴とする床付き布わく。
【請求項２】
前記下側フランジは、幅方向の少なくとも一方の端部に、前記つかみ金具の内側壁部との相互間にて隙間を形成する切欠き部を有することを特徴とする請求項１に記載した床付き布わく。
【請求項３】
前記ウエブは、前記下側フランジの先端部から垂直、湾曲若しくは傾斜して立ち上がる下ウエブと、一端が該下ウエブの上端につながり、他端が前記上側フランジに湾曲若しくは傾斜してつながる上ウエブからなり、前記逃げ部は、下ウエブの少なくとも上端を起点にして上ウエブを切り欠くことによって形成されたものであることを特徴とする請求項１または２に記載した床付き布わく。
【請求項４】
一対の短辺および一対の長辺にて取り囲まれた区画領域を、床面、作業面とする床板材と、該床板材の長辺にその全長にわたってそれぞれ一体連結する一対の布板材と、該床板材の短辺にて該床板材および該布板材につながるはり材と、該床板材の四隅において該布板材に取り付けられ、横架材に引っ掛けて該床板材を、布板材、はり材とともに水平姿勢に保持するつかみ金具とを備えた床付き布わくであって、
前記はり材は、前記床板材の上面に固定され、先端部を該床板材の外方へ向けて延出させた上側フランジと、該布板材に固定された下側フランジと、該上側フランジ、該下側フランジをそれらの先端部において連結するとともに、幅方向の端面を前記つかみ金具の内側壁部に近接若しくは当接させて該つかみ金具の内側への倒れ込み変形を抑制するウエブからなり、
該上側フランジおよび該ウエブは、幅方向の少なくとも一方の端部に、該上側フランジおよび該ウエブの一部分を取り除いて該つかみ金具の内側壁部との相互間にて隣接配置される他の床付き布わくのつかみ金具の挿入隙間を形成する逃げ部を有し、
前記ウエブは、前記下側フランジの先端部から垂直、湾曲若しくは傾斜して立ち上がる下ウエブと、一端が該下ウエブの上端につながり、他端が前記上側フランジに湾曲若しくは傾斜してつながる上ウエブからなり、前記逃げ部は、下ウエブの上端を起点にして上ウエブを切り欠くことによって形成されたものであることを特徴とする床付き布わく。
【請求項５】
前記下ウエブは、その少なくとも上端に一体的につながり、前記つかみ金具の内側壁部に沿い前記上側フランジに向けて立ち上がる起立片を有することを特徴とする請求項３または４に記載した床付き布わく。
【請求項６】
前記下ウエブは、その少なくとも上端に一体的につながり、一端がつかみ金具の内側壁部に位置するとともに、他端が前記上ウエブの側端に面一状態でつながる延長片を有することを特徴とする請求項３または４に記載した床付き布わく。
【請求項７】
前記ウエブは、前記下ウエブと前記上ウエブとの境界に少なくとも１つの縦リブを有することを特徴とする請求項３〜６のいずれか１項に記載した床付き布わく。
【請求項８】
前記上側フランジは、その上面の全域がフラット面からなることを特徴とする請求項１〜７のいずれか１項に記載した床付き布わく。
【請求項９】
前記上側フランジは、その上面がフラット面からなる先端部、固定部と、該先端部の後端および該固定部の先端とを相互につなぐ傾斜部からなり、該先端部の上面は、該固定部の上面よりも上方に位置するものであることを特徴とする請求項１〜７のいずれか１項に記載した床付き布わく。
【請求項１０】
前記上側フランジは、先端部にアール加工または潰し加工を施して重ね合わせるとともにその重ね合わせ部分にバーリングかしめ加工、ブラインドリベット加工、スポット溶接、またはプラグ溶接を施して一体化を図った折り返し片からなることを特徴とする請求項１〜９のいずれか１項に記載した床付き布わく。
【発明の詳細な説明】
【技術分野】
【０００１】
本発明は、建設工事現場等において構築される仮設足場の通路や作業床を形成するのに用いられる床付き布わくに関するものである。
【背景技術】
【０００２】
建設工事現場等の仮設足場の通路や作業床を形成するのに使用される床付き布わくとしては、これまでに、床材と、布材と、該床材の両端を覆うはり材と、該はり材または布材に取り付けられ、布わくの両端から長さ方向にそれぞれ突出した各一対のつかみ金具とで構成されたものが使用されていた（例えば特許文献１）。
【０００３】
かかる床付き布わくは、つかみ金具を、支柱に設けられた横架材に引っ掛けることにより床材を水平姿勢に保持して通路や作業床を形成するが、つかみ金具は、布わくの両端から長さ方向に突出しているため、該つかみ金具を横架材に引っ掛けた状態では、横架材とはり材との間にはつかみ金具の分だけ隙間が形成されることとなり、その隙間から工具等を誤って落下させてしまったり、歩行に際してつまずくことがあって、安全面での配慮がなされているとはいえないところに問題が残されていた。
【０００４】
上記の不具合の解消を図った先行技術として特許文献２には、はり材の上部を床材部の外方へ向けて延長した構造からなる床付き布わくが提案されている。ところで、特許文献２に提案されている床付き布わくは、隣接配置される他の床付き布わくのつかみ金具を挿入する隙間に、つかみ金具の倒れ込み変形（落下等の衝撃荷重が加えられることによる変形）を防止する補強部材を別途に組み入れた構造からなるものであり、部品点数が増すのが避けられないうえ、それを組み付ける工程も新たに付加せざるを得ないことから、床付き布わくの効率的な製造を行うのが困難であり、製造コストの上昇が避けられないものであった。
【先行技術文献】
【特許文献】
【０００５】
【特許文献１】実開昭６０−１８４０号公報
【特許文献２】特許第５３７４１７８号公報
【発明の概要】
【発明が解決しようとする課題】
【０００６】
本発明の目的は、横架材とはり材との間に形成される隙間をなくすことが可能であり、かつ、つかみ金具に予期しない衝撃荷重が作用したとしても、新たに補強部材を設けることなしにその倒れ込み変形を抑制できる床付き布わくを提案するところにある。
【課題を解決するための手段】
【０００７】
本発明は、一対の短辺および一対の長辺にて取り囲まれた区画領域を、床面、作業面とする床板材と、該床板材の長辺にその全長にわたってそれぞれ一体連結する一対の布板材と、該床板材の短辺にて該床板材および該布板材につながるはり材と、該床板材の四隅において該布板材に取り付けられ、横架材に引っ掛けて該床板材を、布板材、はり材とともに水平姿勢に保持するつかみ金具とを備えた床付き布わくであって、
前記はり材は、前記床板材の上面に固定され、先端部を該床板材の外方へ向けて延出させた上側フランジと、該布板材に固定された下側フランジと、該上側フランジ、該下側フランジをそれらの先端部において連結するとともに、幅方向の端面を前記つかみ金具の内側壁部に近接若しくは当接させて該つかみ金具の内側への倒れ込み変形を抑制するウエブからなり、
該上側フランジおよび該ウエブは、幅方向の少なくとも一方の端部に、該上側フランジおよび該ウエブの一部分を取り除いて該つかみ金具の内側壁部との相互間にて隣接配置される他の床付き布わくのつかみ金具の挿入隙間を形成する逃げ部を有し、
該逃げ部を有するウエブは、前記つかみ金具の内側壁部に近接若しくは当接させる端面を有することを特徴とする床付き布わくである。
【０００８】
上記の構成からなる床付き布わくにおいて、
１）下側フランジは、幅方向の少なくとも一方の端部に、前記つかみ金具の内側壁部との相互間にて隙間を形成する切欠き部を有すること、
２）ウエブは、下側フランジの先端部から垂直、湾曲若しくは傾斜して立ち上がる下ウエブと、一端が該下ウエブの上端につながり、他端が上側フランジに湾曲若しくは傾斜してつながる上ウエブからなり、逃げ部は、下ウエブの少なくとも上端を起点にして上ウエブを切り欠くことによって形成されたものであること、
が課題解決のための具体的手段として好ましい。
また、本発明は、一対の短辺および一対の長辺にて取り囲まれた区画領域を、床面、作業面とする床板材と、該床板材の長辺にその全長にわたってそれぞれ一体連結する一対の布板材と、該床板材の短辺にて該床板材および該布板材につながるはり材と、該床板材の四隅において該布板材に取り付けられ、横架材に引っ掛けて該床板材を、布板材、はり材とともに水平姿勢に保持するつかみ金具とを備えた床付き布わくであって、
前記はり材は、前記床板材の上面に固定され、先端部を該床板材の外方へ向けて延出させた上側フランジと、該布板材に固定された下側フランジと、該上側フランジ、該下側フランジをそれらの先端部において連結するとともに、幅方向の端面を前記つかみ金具の内側壁部に近接若しくは当接させて該つかみ金具の内側への倒れ込み変形を抑制するウエブからなり、
該上側フランジおよび該ウエブは、幅方向の少なくとも一方の端部に、該上側フランジおよび該ウエブの一部分を取り除いて該つかみ金具の内側壁部との相互間にて隣接配置される他の床付き布わくのつかみ金具の挿入隙間を形成する逃げ部を有し、
前記ウエブは、前記下側フランジの先端部から垂直、湾曲若しくは傾斜して立ち上がる下ウエブと、一端が該下ウエブの上端につながり、他端が前記上側フランジに湾曲若しくは傾斜してつながる上ウエブからなり、前記逃げ部は、下ウエブの上端を起点にして上ウエブを切り欠くことによって形成されたものであることを特徴とする床付き布わくであり、
３）下ウエブは、その少なくとも上端に一体的につながり、つかみ金具の内側壁部に沿い上側フランジに向けて立ち上がる起立片を有すること、
４）下ウエブは、その少なくとも上端に一体的につながり、一端がつかみ金具の内側壁部に位置するとともに、他端が上ウエブの側端に面一状態でつながる延長片を有すること、
５）ウエブは、下ウエブと上ウエブとの境界に少なくとも１つの縦リブを有すること、
６）上側フランジは、その上面の全域がフラット面からなること、
７）上側フランジは、その上面がフラット面からなる先端部、固定部と、該先端部の後端および該固定部の先端とを相互につなぐ傾斜部からなり、該先端部の上面は、該固定部の上面よりも上方に位置するものであること、
８）上側フランジは、先端部にアール加工または潰し加工を施して重ね合わせるとともにその重ね合わせ部分にバーリングかしめ加工、ブラインドリベット加工、スポット溶接、またはプラグ溶接を施して一体化を図った折り返し片からなること、
が課題解決のための具体的手段として好ましい。
【発明の効果】
【０００９】
本発明によれば、はり材の上側フランジの先端部を床板材の外方へ向けて延出させるようにしたため、床付き布わくを横架材に取り付けた際に該横架材とはり材との間に形成される隙間をなくすことができる。
【００１０】
また、本発明によれば、上側フランジおよびこの上側フランジにつながるウエブの一部分に、つかみ金具の内側壁部との相互間にて隣接配置される他の床付き布わくのつかみ金具の挿入隙間を形成する逃げ部を設けるとともに、はり材のウエブを、つかみ金具の内側壁部に常に近接若しくは当接させるようにしたため、つかみ金具に衝撃荷重が作用したとしても、その衝撃荷重を、ウエブ全体で受けることとなり、補強部材等の余計な部材を用いずともつかみ金具の倒れ込み変形を確実に回避することができる。
【図面の簡単な説明】
【００１１】
【図１】本発明にしたがう床付き布わくの実施の形態を模式的に示した外観斜視図である。
【図２】図１に示した床付き布わくの平面を示した図である。
【図３】図１に示した床付き布わくの側面を示した図である。
【図４】図１に示した床付き布わくの底面を示した図である。
【図５】はり材のみを取り出して示した外観斜視図である。
【図６】（ａ）〜（ｄ）は、はり材の平面、正面、底面および側面をそれぞれ示した図である。
【図７】（ａ）（ｂ）は、本発明にしたがう床付き布わくと、隣接配置される他の床付き布わくを同じ横架材に引っ掛けた状態を示した図である。
【図８】図１に示した床付き布わくの正面の要部を拡大して示した図である（つかみ金具は断面表示）。
【図９】図１に示した床付き布わくの正面の要部を拡大して示した図である（つかみ金具は断面表示）。
【図１０】本発明にしたがう床付き布わくを構成するはり材の側面を示した図である。
【図１１】本発明にしたがう床付き布わくを構成するはり材の側面を示した図である。
【図１２】本発明にしたがう床付き布わくを構成するはり材の側面を示した図である。
【図１３】（ａ）（ｂ）は、本発明にしたがう床付き布わくの他の実施の形態をはり材について示した図である。
【図１４】（ａ）（ｂ）は、本発明にしたがう床付き布わくの他の実施の形態をはり材について示した図である。
【図１５】図１３、図１４に示したはり材を展開状態で示した図である。
【図１６】（ａ）〜（ｃ）は、本発明にしたがう床付き布わくの他の実施の形態をはり材について示した図である。
【図１７】（ａ）（ｂ）は、図１６（ｂ）の右側面（拡大表示）と右側面の外観斜視図を一部分について示した図である。
【図１８】（ａ）（ｂ）は、図１６（ｂ）の左側面（拡大表示）と左側面の外観斜視図を一部分について示した図である。
【図１９】（ａ）〜（ｃ）は、本発明にしたがう床付き布わくの他の実施形態を示した図である。
【図２０】（ａ）（ｂ）は、図１９（ｂ）の右側面（拡大表示）と右側面の外観斜視図を一部分について示した図である。
【図２１】（ａ）（ｂ）は、図１９（ｂ）の左側面と左側面の外観を一部分について示した図である。
【図２２】（ａ）〜（ｃ）は、本発明にしたがう床付き布わくの他の実施形態を示した図である。
【図２３】（ａ）（ｂ）は、図２２（ｂ）の右側面（拡大表示）と右側面の外観を一部分について示した図である。
【図２４】（ａ）（ｂ）は、図２２（ｂ）の左側面（拡大表示）と左側面の外観斜視図を一部分について示した図である。
【発明を実施するための形態】
【００１２】
以下、図面を参照して本発明をより具体的に説明する。なお、本発明にしたがう床付き布わくは、金属製部材で構成されるものであり、仮設足場を構築するに当たっては、同じ構成からなる床付き布わくを複数枚用いるものとする。
【００１３】
図１は、本発明にしたがう床付き布わくの実施の形態を模式的に示した外観斜視図であり、図２は、図１に示した床付き布わくの平面を示した図であり、図３は、図１に示した床付き布わくの側面を示した図であり、図４は、図１に示した床付き布わくの底面を示した図である。また、図５は、はり材のみを取り出して示した外観斜視図であり、図６（ａ）〜（ｄ）は、はり材の平面、正面、底面および側面をそれぞれ示した図であり、図７（ａ）（ｂ）は、本発明にしたがう床付き布わくと、隣接配置される他の床付き布わくを同じ横架材に引っ掛けた状態を示した図であり、図８は、図１に示した床付き布わくの正面の要部を拡大して示した図である（つかみ金具は断面表示）。
【００１４】
なお、本発明で対象としている床付き布わくは、隣接配置される他の床付き布わくのつかみ金具が、同一の横架材に引っ掛けられたときに、床付き布わく同士が一直線上に配置されるように、隣接配置される他の床付き布わくのつかみ金具を挿入する挿入空間を対角線上の２箇所のつかみ金具の内側に設けたものを前提とする。
【００１５】
図１〜８における符号１は、上面に滑り止め用の突起が複数設けられた二枚の板材を並列に配置して構成されたダブルタイプの床板材である。床板材１は、一対の短辺１ａ、１ｂおよび一対の長辺１ｃ、１ｄにて取り囲まれた区画領域を、床面、作業面とするものである。なお、床板材１は、一枚の板材で構成されたシングルタイプのものを用いることもできる。
【００１６】
また、符号２は、床板材１の長辺１ｃ、１ｄにその全長にわたってそれぞれ一体連結する一対の布板材、３は、床板材１の短辺１ａ、１ｂにて床板材１および布板材２につながるはり材、４ａ〜４ｄは、床板材１の四隅において布板材２に取り付けられ、横架材Ｓに引っ掛けて床板材１、布板材２、はり材３とともに水平姿勢に保持するつかみ金具である。
【００１７】
布板材２は、床板材１の幅方向の端部に折り返し加工を施すことにより形成されたものが用いられる。布板材２は、床付き布わくの断面形状が溝型断面形状等となるように床板材１に設けられる。
【００１８】
はり材３は、具体的には、床板材１の上面に固定され、先端部を床板材１の外方へ向けて延出させた上側フランジ３ａと、布板材２に固定された下側フランジ３ｂと、上側フランジ３ａ、下側フランジ３ｂをそれらの先端部において連結するとともに、幅方向の端面をつかみ金具４ａ〜４ｄの内側壁部に近接若しくは当接させて該つかみ金具４ａ〜４ｄの内側への倒れ込み変形を抑制するウエブ３ｃから構成されている。はり材３の、床板材１への固定は、溶接、あるいは、リベット等を用いるのが好ましいが、固定手段については、とくに限定されない。はり材３は、単一のプレートに曲げ加工を施して形成することができる。
【００１９】
上側フランジ３ａは、その上面がフラット面からなる先端部３ａ１および固定部３ａ２と、先端部３ａ１の後端、固定部３ａ２の先端とを相互につなぐ傾斜部３ａ３とを備えたもので構成することができる。先端部３ａ１の上面を、固定部３ａ２の上面よりも上方に１ｍｍ以上、５ｍｍ以下の範囲で位置するものとすることにより、横架材Ｓに傾斜補強材（図示せず）を設置することが可能となる。また、傾斜補強材のサイズが小さい場合には、傾斜部３ａ３を設ける必要がなく、上側フランジ３ａの上面をフラット面とすることができる。
【００２０】
つかみ金具４ａ〜４ｄには、横架材Ｓに引っ掛けたとき、該つかみ金具４ａ〜４ｄが該横架材Ｓから簡単に外れることがないように外れ止め片４ａ１〜４ｄ１が設けられている。外れ止め片４ａ１〜４ｄ１のうち、つかみ金具４ａ、４ｄの外れ止め片４ａ１、４ｄ１については、その外側壁に回動可能に設けられており、他のつかみ金具４ｂ、４ｃの外れ止め片４ｂ１、４ｃ１は、その内側壁に回転可能に設けられている。
【００２１】
また、符号５は、上側フランジ３ａおよびウエブ３ｃの幅方向の一方の端部に設けられた逃げ部である。逃げ部５は、上側フランジ３ａ、ウエブ３ｃの一部分を取り除いてつかみ金具４ａ、４ｄの内側壁部との相互間にて隣接配置される他の床付き布わくのつかみ金具４ｃ′、４ｂ′を挿入する挿入空間を形成するものである。
【００２２】
ウエブ３ｃは、下側フランジ３ｂの先端部から垂直、湾曲若しくは傾斜して立ち上がる下ウエブ３ｃ１と、一端が下ウエブ３ｃ１の上端につながり、他端が上側フランジ３ａに湾曲若しくは傾斜してつながる上ウエブ３ｃ２とで構成することができ、逃げ部５は、下ウエブ３ｃ１の少なくとも上端を起点にして上ウエブ３ｃ２を切り欠くことによって形成することができる。
【００２３】
下ウエブ３ｃ１は、垂直に立ち上がったものを例として示したが、つかみ金具４ｂ、４ｃの外れ止め片４ｂ１、４ｃ１が回転するときに、その外れ止め片４ｂ１、４ｃ１と干渉するのを避けることができるならば、垂直面に対して３０°以下の範囲で傾斜させることが可能であり、図示のものに限定はされない。また、下ウエブ３ｃ１は、床板材１の外方へ向けて凹となるように湾曲させてもよい。
【００２４】
また、符号６は、下ウエブ３ｃ１と上ウエブ３ｃ２との境界に設けられた縦リブである。縦リブ６は、金型を使用したプレス成形によって形成することができるものであって、ウエブ３ｃの剛性を高め、上側フランジ３ａを支える機能を有している。縦リブ６は、ここでは、正面視が菱形で、断面が三角形状になる三角リブを例として示したが、縦リブ６の形状は必要に応じて種々の形状に変更することができる。
【００２５】
また、符号７は、上側フランジ３ａの傾斜部３ａ３に設けられた滑り止め用の凸部である。凸部７は、金型を使用したプレス成形によって形成することができる。
【００２６】
また、符号８は、床板材１の長手方向で布板材２の相互間に差し渡されて固定された中間板である。中間板８は、床板材１の撓みと布板材２が下方に向けて開くのを防止する機能を有している。
【００２７】
本発明にしたがう床付き布わくは、はり材３を構成する上側フランジ３ａの先端部３ａ１が床板材１の外方へ向けて延出しているため、図７（ａ）（ｂ)に示すように、横架材Ｓとはり材３との間には工具等を落下や歩行時のつまずきの原因となる隙間が形成されることはない。
【００２８】
また、本発明にしたがう床付き布わくは、図８、図９に示すように、ウエブ３ｃのとくに、下ウエブ３ｃ１の幅方向の端部が、つかみ金具４ａ〜４ｄの内側壁部に常に近接あるいは当接させた状態に維持されるため、床付き布わくを落下させてしまうことによりつかみ金具４ａ〜４ｄに予期しない衝撃荷重が作用することがあったとしても、その衝撃荷重をウエブ３全体で受けることになり、それそのものの内側への倒れ込み変形が抑制される。したがって、新たに補強部材等を設ける必要がない。
【００２９】
下ウエブ３ｃ１の幅方向の端部を、つかみ金具４ａ〜４ｄの内側壁部に近接させる構造とする場合には、つかみ金具４ａ〜４ｄの倒れ込み変形を回避する観点からその相互間に形成される隙間（ｔ）は、１．５ｍｍ以内とするのが好ましい（図８、図９参照）。
【００３０】
横架材Ｓに傾斜補強材を設置するに当たっては、はり材３の上側フランジ３ａを、先端部３ａ１、固定部３ａ２、傾斜部３ａ３からなるものとし、先端部３ａ１を固定部３ａ２よりも５ｍｍの範囲内で上方に位置するように構成するのが好ましいが、傾斜補強材のサイズが小さい場合には該上側フランジ３ａは、図１０に示すように、その上面をフラット面とすることもできる。上側フランジ３ａの上面をフラット面とすることにより歩行時におけるつまずき（躓き）をなくすことができる。
【００３１】
また、上側フランジ３ａは、先端部３ａ１にアール加工を施して重ね合わせた折り返し片からなるものを用いることができるが、先端部３ａ１に潰し加工を施した図１１に示すようなもの、あるいは、先端部３ａ１にアール加工を施し、その加工部位を上ウエブ３ｃ２につなぎ合わせて断面三角形状とした図１２示すような形状からなるものを用いてもよい。
【００３２】
上側フランジ３ａを折り返し片にて構成する場合においては、重ね合わせ部分に、バーリングかしめ加工、ブラインドリベット加工、スポット溶接あるいはプラグ溶接を施して一体化を図るのが好ましい。
【００３３】
ウエブ３ｃの下ウエブ３ｃ１の高さや角度（垂直面に対する角度）、上ウエブ３ｃ２の角度、形状については任意に変更し得る。
【００３４】
図１３（ａ）（ｂ）、図１４（ａ）（ｂ）は、本発明にしたがう床付き布わくの他の実施の形態をはり材３について示した図である。かかる構造の床付き布わくは、逃げ部５が設けられた部位の下ウエブ３ｃ１の上端に、該下ウエブ３ｃ１に一体的につながり、つかみ金具４ａ〜４ｄの内側壁部に沿い上側フランジ３ａに向けて立ち上がる起立片９を設けた例である。
【００３５】
起立片９は、その上端が上側フランジ３ａに達しているかどうかにかかわらず、つかみ金具４ａ〜４ｄの内側壁部に沿って位置することになるため、つかみ金具４ａ〜４ｄに衝撃荷重が作用しても、その衝撃荷重の一部は、起立片９を介してウエブ３ｃが負担することになり、つかみ金具４ａ〜４ｄの耐衝撃荷重性能をより一層高めることができる。
【００３６】
図１５は、上掲図１３（ａ）（ｂ）、図１４（ａ）（ｂ）に示したはり材３を展開して示した図である。起立片９は、下ウエブ３ｃ１の上端に相当する部位に延長部３ｄを設けておき、この延長部３ｄと上ウエブ３ｃ２の幅方向の端部に切り込みを入れておくことにより形成することができる。
【００３７】
また、図１６（ａ）〜（ｃ）は、本発明したがう床付き布わくのさらに他の実施の形態をはり材３について示した図であり、図１７（ａ）（ｂ）は、図１６（ｂ）の右側面（拡大表示）と右側面の外観斜視図を一部分について示した図であり、図１８（ａ）（ｂ）は、図１６（ｂ）の左側面（拡大表示）と左側面の外観斜視図を一部分について示した図である。
【００３８】
かかる構造の床付き布わくは、逃げ部５が設けられた部位の上端に、該下ウエブ３ｃ１に一体的につながり一端がつかみ金具４ａ〜４ｄの内側壁部に位置するとともに、他端が上ウエブ３ｃ２の側端に面一状態でつながる延長片１０ａ、１０ｂを設けた例である。
【００３９】
延長片１０ａ、１０ｂを設けたものにおいても、該延長片１０ａ、１０ｂの一端は、つかみ金具４ａ〜４ｄの内側壁部に常に位置することなるため、つかみ金具４ａ〜４ｄに衝撃荷重が作用しても、その衝撃荷重の一部は延長片１０ａ、１０ｂが負担することになり、つかみ金具４ａ〜４ｄの耐衝撃荷重性能をより一層高めることができる
【００４０】
なお、延長片１０ａ、１０ｂは、逃げ部５を設けるに当たって上ウエブ３ｃ２を部分的に残存させておくことにより形成すればよい。延長片１０ｂについては、この例では、曲げ加工が施されたつかみ金具４ｂ、４ｃの内側壁部に沿うようその縁部にカット部ｃが設けられることになる。
【００４１】
つかみ金具４ｂ、４ｃにおいては、隣接配置される他の床付き布わくのつかみ金具４ａ′、４ｄ′がその外方（外側壁部側）に位置するため、ウエブ３ｃの幅方向のもう一方の端部はつかみ金具４ｂ、４ｃの内側壁部に近接あるいは当接させておくことができ、これにより、つかみ金具４ｂ、４ｃに衝撃荷重が作用してもその倒れ込み変形は抑制されることになる。
【００４２】
図１９（ａ）〜（ｃ）は、本発明にしたがう床付き布わくの他の実施形態を示した図であり、図２０（ａ）（ｂ）は、図１９（ｂ）の右側面（拡大表示）と右側面の外観斜視図を一部分について示した図であり、図２１（ａ）（ｂ）は、図１９（ｂ）の左側面と左側面の外観を一部分について示した図である。
【００４３】
かかる床付き布わくは、ウエブ３ｃと下側フランジ３ｂとの境界に、該境界に沿って伸延するとともに、幅方向の端縁において開放されたスリットＳを形成したものである。スリットＳを形成しておくことにより、たとえ、部材を成形する際に寸法誤差等が生じたとしてもウエブ３ｃあるいは下側フランジ３ｂを部分的に変形させることができるため、はり材の、床板材、布材への組付けが容易になる。なお、ＦEＭ等を用いた構造解析の結果、スリットＳを設けたとしても、つかみ金具４ａ〜４ｄの変形防止効果が阻害されることはないことが確認されているが、該スリットＳの長さＷは、逃げ部５の幅寸法Ｌと同じ長さとするのが好ましい。
【００４４】
図２２（ａ）〜（ｃ）は、本発明にしたがう床付き布わくの他の実施形態を示した図であり、図２３（ａ）（ｂ）は、図２２（ｂ）の右側面（拡大表示）と右側面の外観を一部分について示した図であり、図２４（ａ）（ｂ）は、図２２（ｂ）の左側面（拡大表示）と左側面の外観斜視図を一部分について示した図である。
【００４５】
かかる床付き布わくは、下側フランジ３ｂの幅方向の両端部に、つかみ金具４ａ〜４ｄの内側壁部との相互間において隙間形成する切欠き部１１を設けた例である。切欠き部１１を形成しておくことにより構成部材の成形時において寸法誤差が生じたとしても、その寸法誤差を吸収することが可能であり、はり材３の、床板材１、布板材２への組付けが容易になるとともに、床付き布わくの軽量化が可能となる。
【００４６】
床付き布わくを構成する床板材１、布板材２は、ロール成形による成形可能により一体的に成形され、該布板材２につかみ金具４ａ〜４ｄをリベット等の締結手段で固定したのち、はり材３を組付け、溶接等の接合手段を介して床板材１、布板材２に固定することになるが、ロール成形において、寸法精度に誤差が生じた場合においても、部材同士が接触する等してはり材３の、床板材１、布板材２への込み付けが困難になることがないため、床付き布わくの効率的な製造が可能であり、生産性の改善を図ることができる。
【産業上の利用可能性】
【００４７】
本発明によれば、横架材とはり材との間に形成される隙間をなくすことが可能であり、かつ、補強部材の如き余計な部材を用いることなしにつかみ金具の倒れ込み変形を抑制し得る床付き布わくが提供できる。
【符号の説明】
【００４８】
１                床板材
１ａ、１ｂ        短辺
１ｃ、１ｄ        長辺
２                布板材
３                はり材
３ａ              上側フランジ
３ｂ              下側フランジ
３ｃ              ウエブ
３ｄ              延長部
４ａ〜４ｄ        つかみ金具
５                逃げ部
６                縦リブ
７                凸部
８                中間板
９                起立片
１０ａ、１０ｂ    延長片
１１              切欠き部
【図１】
2020200749.tif 000003
【図２】
2020200749.tif 000004
【図３】
2020200749.tif 000005
【図４】
2020200749.tif 000006
【図５】
2020200749.tif 000007
【図６】
2020200749.tif 000008
【図７】
2020200749.tif 000009
【図８】
2020200749.tif 000010
【図９】
2020200749.tif 000011
【図１０】
2020200749.tif 000012
【図１１】
2020200749.tif 000013
【図１２】
2020200749.tif 000014
【図１３】
2020200749.tif 000015
【図１４】
2020200749.tif 000016
【図１５】
2020200749.tif 000017
【図１６】
2020200749.tif 000018
【図１７】
2020200749.tif 000019
【図１８】
2020200749.tif 000020
【図１９】
2020200749.tif 000021
【図２０】
2020200749.tif 000022
【図２１】
2020200749.tif 000023
【図２２】
2020200749.tif 000024
【図２３】
2020200749.tif 000025
【図２４】
2020200749.tif 000026
【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
一対の短辺および一対の長辺にて取り囲まれた区画領域を、床面、作業面とする床板材と、該床板材の長辺にその全長にわたってそれぞれ一体連結する一対の布板材と、該床板材の短辺にて該床板材および該布板材につながるはり材と、該床板材の四隅において該布板材に取り付けられ、横架材に引っ掛けて該床板材を、布板材、はり材とともに水平姿勢に保持するつかみ金具とを備えた床付き布わくであって、
前記はり材は、前記床板材の上面に固定され、先端部を該床板材の外方へ向けて延出させた上側フランジと、該布板材に固定された下側フランジと、該上側フランジ、該下側フランジをそれらの先端部において連結するとともに、幅方向の端面を前記つかみ金具の内側壁部に近接若しくは当接させて該つかみ金具の内側への倒れ込み変形を抑制するウエブからなり、
該上側フランジおよび該ウエブは、幅方向の少なくとも一方の端部に、該上側フランジおよび該ウエブの一部分を取り除いて該つかみ金具の内側壁部との相互間にて隣接配置される他の床付き布わくのつかみ金具の挿入隙間を形成する逃げ部を有し、
前記ウエブは、前記下側フランジの先端部から垂直、湾曲若しくは傾斜して立ち上がる下ウエブと、一端が該下ウエブの上端につながり、他端が前記上側フランジに湾曲若しくは傾斜してつながる上ウエブからなり、前記逃げ部は、下ウエブの上端を起点にして上ウエブを切り欠くことによって形成されたものであることを特徴とする床付き布わく。
【請求項２】
前記下ウエブは、該下ウエブの上端に一体的につながり、前記つかみ金具の内側壁部に沿い前記上側フランジに向けて立ち上がる起立片を有することを特徴とする請求項１に記載した床付き布わく。
【請求項３】
前記下ウエブは、該下ウエブの上端に一体的につながり、一端がつかみ金具の内側壁部に位置するとともに、他端が前記上ウエブの側端に面一状態でつながる延長片を有することを特徴とする請求項１に記載した床付き布わく。
【請求項４】
前記ウエブは、前記下ウエブと前記上ウエブとの境界に少なくとも１つの縦リブを有することを特徴とする請求項１〜３のいずれか１項に記載した床付き布わく。
【請求項５】
前記上側フランジは、その上面の全域がフラット面からなることを特徴とする請求項１〜４のいずれか１項に記載した床付き布わく。
【請求項６】
前記上側フランジは、その上面がフラット面からなる先端部、固定部と、該先端部の後端および該固定部の先端とを相互につなぐ傾斜部からなり、該先端部の上面は、該固定部の上面よりも上方に位置するものであることを特徴とする請求項１〜５のいずれか１項に記載した床付き布わく。
【請求項７】
前記上側フランジは、先端部にアール加工または潰し加工を施して重ね合わせるとともにその重ね合わせ部分にバーリングかしめ加工、ブラインドリベット加工、スポット溶接、またはプラグ溶接を施して一体化を図った折り返し片からなることを特徴とする請求項１〜６のいずれか１項に記載した床付き布わく。
【手続補正２】
【補正対象書類名】明細書
【補正対象項目名】０００７
【補正方法】変更
【補正の内容】
【０００７】
本発明は、一対の短辺および一対の長辺にて取り囲まれた区画領域を、床面、作業面とする床板材と、該床板材の長辺にその全長にわたってそれぞれ一体連結する一対の布板材と、該床板材の短辺にて該床板材および該布板材につながるはり材と、該床板材の四隅において該布板材に取り付けられ、横架材に引っ掛けて該床板材を、布板材、はり材とともに水平姿勢に保持するつかみ金具とを備えた床付き布わくであって、
前記はり材は、前記床板材の上面に固定され、先端部を該床板材の外方へ向けて延出させた上側フランジと、該布板材に固定された下側フランジと、該上側フランジ、該下側フランジをそれらの先端部において連結するとともに、幅方向の端面を前記つかみ金具の内側壁部に近接若しくは当接させて該つかみ金具の内側への倒れ込み変形を抑制するウエブからなり、
該上側フランジおよび該ウエブは、幅方向の少なくとも一方の端部に、該上側フランジおよび該ウエブの一部分を取り除いて該つかみ金具の内側壁部との相互間にて隣接配置される他の床付き布わくのつかみ金具の挿入隙間を形成する逃げ部を有し、
該逃げ部を有するウエブは、前記つかみ金具の内側壁部に近接若しくは当接させる端面を有するものとするのが好ましい。
【手続補正３】
【補正対象書類名】明細書
【補正対象項目名】０００８
【補正方法】変更
【補正の内容】
【０００８】
上記の構成からなる床付き布わくにおいて、
１）下側フランジは、幅方向の少なくとも一方の端部に、前記つかみ金具の内側壁部との相互間にて隙間を形成する切欠き部を有すること、
２）ウエブは、下側フランジの先端部から垂直、湾曲若しくは傾斜して立ち上がる下ウエブと、一端が該下ウエブの上端につながり、他端が上側フランジに湾曲若しくは傾斜してつながる上ウエブからなり、逃げ部は、下ウエブの少なくとも上端を起点にして上ウエブを切り欠くことによって形成されたものであること、
が課題解決のための具板的手段として好ましい。
また、本発明は、一対の短辺および一対の長辺にて取り囲まれた区画領域を、床面、作業面とする床板材と、該床板材の長辺にその全長にわたってそれぞれ一体連結する一対の布板材と、該床板材の短辺にて該床板材および該布板材につながるはり材と、該床板材の四隅において該布板材に取り付けられ、横架材に引っ掛けて該床板材を、布板材、はり材とともに水平姿勢に保持するつかみ金具とを備えた床付き布わくであって、
前記はり材は、前記床板材の上面に固定され、先端部を該床板材の外方へ向けて延出させた上側フランジと、該布板材に固定された下側フランジと、該上側フランジ、該下側フランジをそれらの先端部において連結するとともに、幅方向の端面を前記つかみ金具の内側壁部に近接若しくは当接させて該つかみ金具の内側への倒れ込み変形を抑制するウエブからなり、
該上側フランジおよび該ウエブは、幅方向の少なくとも一方の端部に、該上側フランジおよび該ウエブの一部分を取り除いて該つかみ金具の内側壁部との相互間にて隣接配置される他の床付き布わくのつかみ金具の挿入隙間を形成する逃げ部を有し、
前記ウエブは、前記下側フランジの先端部から垂直、湾曲若しくは傾斜して立ち上がる下ウエブと、一端が該下ウエブの上端につながり、他端が前記上側フランジに湾曲若しくは傾斜してつながる上ウエブからなり、前記逃げ部は、下ウエブの上端を起点にして上ウエブを切り欠くことによって形成されたものであることを特徴とする床付き布わくであり、
３）下ウエブは、該下ウエブの上端に一体的につながり、つかみ金具の内側壁部に沿い上側フランジに向けて立ち上がる起立片を有すること、
４）下ウエブは、該下ウエブの上端に一体的につながり、一端がつかみ金具の内側壁部に位置するとともに、他端が上ウエブの側端に面一状態でつながる延長片を有すること、
５）ウエブは、下ウエブと上ウエブとの境界に少なくとも１つの縦リブを有すること、
６）上側フランジは、その上面の全域がフラット面からなること、
７）上側フランジは、その上面がフラット面からなる先端部、固定部と、該先端部の後端および該固定部の先端とを相互につなぐ傾斜部からなり、該先端部の上面は、該固定部の上面よりも上方に位置するものであること、
８）上側フランジは、先端部にアール加工または潰し加工を施して重ね合わせるとともにその重ね合わせ部分にバーリングかしめ加工、ブラインドリベット加工、スポット溶接、またはプラグ溶接を施して一体化を図った折り返し片からなること、
が課題可決のための具体的手段として好ましい。